(57)【要約】【課題】従来のモータ駆動装置は、ファン本体が常に駆動される構成であるので、発熱部の冷却が不必要なときにも前記ファン本体が駆動されることになり、モータ駆動装置全体としてのエネルギー損失が増大していた。【解決手段】本発明によるモータ駆動装置は、ファン本体３の動作制御を行うファン駆動手段５が、ファン本体３を駆動するための駆動用電源４と、前記発熱部１の温度を検出するために設けられるとともに電気的に前記ファン本体３及び前記駆動用電源４間に介在されたサーモスイッチ６とから構成され、ファン本体３は、前記発熱部１の温度が設定温度以上となったことが前記サーモスイッチ６によって検出された場合に駆動される構成である。【選択図】図１
2008293411.tif 000002
【特許請求の範囲】
【請求項１】
発熱部（１）に対して冷却風（２）を送るファン本体（３）と、
前記発熱部（１）の温度に応じて前記ファン本体（３）の動作制御を行うファン駆動手段（５）と
を備えていることを特徴とするモータ駆動装置。
【請求項２】
前記ファン駆動手段（５）は、前記ファン本体（３）を駆動するための駆動用電源（４）と、前記発熱部（１）の温度を検出するために設けられるとともに電気的に前記ファン本体（３）と前記駆動用電源（４）との間に介在されたサーモスイッチ（６）とから構成され、
前記発熱部（１）の温度が設定温度以上となったことが前記サーモスイッチ（６）により検出された場合に、前記ファン本体（３）が駆動されることを特徴とする請求項１記載のモータ駆動装置。
【請求項３】
前記ファン駆動手段（５）は、前記ファン本体（３）を駆動するための駆動用電源（４）と、前記発熱部（１）の温度を検出するために設けられた温度センサ（７）と、電気的に前記ファン本体（３）と前記駆動用電源（４）との間に介在された駆動回路（８）とから構成され、
前記温度センサ（７）によって検出された前記温度の高低に応じて前記ファン本体（３）への供給電力を調節することで、前記ファン本体（３）の風量が制御されることを特徴とする請求項１記載のモータ駆動装置。
【発明の詳細な説明】
【技術分野】
【０００１】
本発明は、例えばインバータ等のモータ駆動装置に関し、特に、発熱部の温度に応じてファン本体の動作制御を行うことで、ファン本体の不必要な駆動を少なくし、エネルギー損失を少なくするための新規な改良に関するものである。
【背景技術】
【０００２】
社内技術で特に特許出願を行っていないため文献名は挙げていないが、従来用いられていたこの種のモータ駆動装置は、図３に示すように構成されている。すなわち従来装置では、例えばパワートランジスタや放熱フィン等の発熱部１に冷却風２を送るファン本体３に駆動用電源４が直結されており、モータ駆動装置全体の電源が投入されている間は常に前記ファン本体３が駆動されるように構成されている。
【発明の開示】
【発明が解決しようとする課題】
【０００３】
上記のような従来のモータ駆動装置では、前記ファン本体３が常に駆動される構成であるので、発熱部１の冷却が不必要なときにも前記ファン本体３が駆動されることになり、モータ駆動装置全体としてのエネルギー損失が増大していた。
【０００４】
本発明は、上記のような課題を解決するためになされたものであり、その目的は、ファン本体の不必要な駆動を少なくでき、エネルギー損失を少なくできるモータ駆動装置を提供することである。
【課題を解決するための手段】
【０００５】
本発明に係るモータ駆動装置は、発熱部に対して冷却風を送るファン本体と、前記発熱部の温度に応じて前記ファン本体の動作制御を行うファン駆動手段とを備える構成である。
また、前記ファン駆動手段は、前記ファン本体を駆動するための駆動用電源と、前記発熱部の温度を検出するために設けられるとともに電気的に前記ファン本体と前記駆動用電源との間に介在されたサーモスイッチとから構成され、前記発熱部の温度が設定温度以上となったことが前記サーモスイッチにより検出された場合に、前記ファン本体が駆動される構成である。
また、前記ファン駆動手段は、前記ファン本体を駆動するための駆動用電源と、前記発熱部の温度を検出するために設けられた温度センサと、電気的に前記ファン本体と前記駆動用電源との間に介在された駆動回路とから構成され、前記温度センサによって検出された前記温度の高低に応じて前記ファン本体への供給電力を調節することで、前記ファン本体の風量が制御される構成である。
【発明の効果】
【０００６】
本発明のモータ駆動装置によれば、ファン駆動手段は検出した発熱部の温度に応じてファン本体の動作制御を行うので、ファン本体の不必要な駆動を少なくでき、エネルギー損失を少なくできる。
また、ファン駆動手段が駆動用電源とサーモスイッチとから構成され、発熱部の温度が設定温度以上となったことが前記サーモスイッチにより検出された場合に、前記ファン本体が駆動されるので、簡単な構成でエネルギー損失を少なくでき、部品コストを抑えることができる。
また、ファン駆動手段が駆動用電源と温度センサと駆動回路とから構成され、発熱部の温度に応じてファン本体の風量が制御されるので、必要なときに必要な風量で冷却風を送ることができ、冷却とエネルギー損失の低減とをより効率的に行うことができる。
【発明を実施するための最良の形態】
【０００７】
以下、本発明を実施するための最良の形態について、図面を参照して説明する。
実施の形態１．
図１は、本発明の実施の形態１によるモータ駆動装置を示すブロック図である。なお、従来装置と同一又は同等部分については同一の符号を用いて説明する。図において、例えばパワートランジスタや冷却フィン等の発熱部１に冷却風２を送るファン本体３の動作制御は、ファン駆動手段５によって行われる。この実施の形態では、ファン駆動手段５は、ファン本体３を駆動するための駆動用電源４と、電気的に前記ファン本体３と前記駆動用電源４との間に介在されたサーモスイッチ６とから構成されている。前記サーモスイッチ６は、直接又は例えば金属板等を介して間接的に前記発熱部１に接触して設けられており、前記発熱部１の温度を検出するためのものである。具体的には、前記サーモスイッチ６は、前記発熱部１の温度が設定温度以上となった場合にＯＮされ、前記発熱部１の温度が設定温度未満となった場合にＯＦＦされるスイッチである。すなわち、前記ファン本体３は、前記発熱部１の温度が設定温度以上となったことが前記サーモスイッチ６によって検出された場合に駆動され、前記温度が前記設定温度未満であることが前記サーモスイッチ６によって検出された場合に停止される。
【０００８】
このようなモータ駆動装置では、前記ファン駆動手段５は前記発熱部１の温度に応じてファン本体３の動作制御を行うので、ファン本体３の不必要な駆動を少なくでき、エネルギー損失を少なくできる。
【０００９】
また、前記ファン駆動手段５が駆動用電源４とサーモスイッチ６とから構成され、発熱部１の温度に応じて前記ファン本体３の動作が駆動及び停止で切り替えられるので、簡単な構成でエネルギー損失を少なくでき、部品コストを抑えることができる。
【００１０】
実施の形態２．
図２は、本発明の実施の形態２によるモータ駆動装置を示すブロック図である。なお、実施の形態１と同一又は同等部分については同一の符号を用いて説明する。図において、この実施の形態では、ファン駆動手段５は、駆動用電源４と、温度センサ７と、駆動回路８とから構成されている。温度センサ７は直接又は例えば金属板等を介して間接的に前記発熱部１に接触して設けられており、前記発熱部１の温度を検出するためのものである。駆動回路８は、電気的に前記ファン本体３と前記駆動用電源４との間に介在されている。また、駆動回路８は、例えばトランジスタ等のアンプによって構成されており、前記温度センサ７の出力に応じて前記ファン本体３への供給電力を調節する。つまり、前記温度センサ７によって検出された前記発熱部１の温度の高低に応じて前記ファン本体３の風量（回転速度）が制御される。
【００１１】
このようなモータ駆動装置では、ファン駆動手段５が駆動用電源４と温度センサ７と駆動回路８とから構成され、発熱部１の温度に応じてファン本体３の風量が制御されるので、必要なときに必要な風量の冷却風を送ることができ、エネルギー損失の低減と冷却とをより効率的に行うことができる。
【図面の簡単な説明】
【００１２】
【図１】本発明の実施の形態１によるモータ駆動装置を示すブロック図である。
【図２】本発明の実施の形態２によるモータ駆動装置を示すブロック図である。
【図３】従来のモータ駆動装置を示すブロック図である。
【符号の説明】
【００１３】
１  発熱部
２  冷却風
３  ファン本体
４  駆動用電源
５  ファン駆動手段
６  サーモスイッチ
７  温度センサ
８  駆動回路
【図１】
2008293411.tif 000003
【図２】
2008293411.tif 000004
【図３】
2008293411.tif 000005